(57)【要約】【課題】細粒が取出樋先に設置した袋体等の容器に一杯になったことに、作業者が気づかなかった場合でも取出樋及び螺旋揚送筒内の詰まりを防止して、螺旋軸やベルト等の部品が破損しないようにする。【解決手段】縦形に立設した揚送筒１７内に、回転自在に螺旋軸１８を嵌装した螺旋揚送装置の、揚送筒上部に取出口２０を開口して、螺旋軸の前記取出口に対応する部位に螺旋を欠除し跳出し板２１を固着すると共に、前記取出口に連続して選別機枠体１の側方斜め下方に向けて筒状の取出樋２２を設け、前記取出樋の傾斜上面にオーバーフロー口２３を開口し、そのオーバーフロー口には外方へ開閉自在で、且つ通常はその自重によってオーバーフロー口を閉じるように、上辺を蝶着した蓋体２４を設ける。【選択図】図４
2005334807.tif 000002
【特許請求の範囲】
【請求項１】
縦形に立設した揚送筒内に、回転自在に螺旋軸を嵌装した螺旋揚送装置の、揚送筒上部に取出口を開口して、螺旋軸の前記取出口に対応する部位に螺旋を欠除し跳出し板を固着すると共に、前記取出口に連続して選別機枠体の側方斜め下方に向けて筒状の取出樋を設け、前記取出樋の傾斜上面にオーバーフロー口を開口し、そのオーバーフロー口には外方へ開閉自在で、且つ通常はその自重によってオーバーフロー口を閉じるように、上辺を蝶着した蓋体を設けたことを特徴とする縦形穀粒選別機の細粒取出装置。
【発明の詳細な説明】
【技術分野】
【０００１】
本発明は穀粒（例えば玄米）中より粒径の小さい細粒（屑米、未熟粒）を分離除去する縦形の回転選別筒を備えた、縦形穀粒選別機の細粒取出装置に関する。
【背景技術】
【０００２】
選別機枠内に多孔壁選別筒を回転自在に立設し、選別筒内部に回転搬送体を異速回転自在に嵌装し、選別筒内部に上方から被選別穀粒（玄米）を供給して、回転搬送体により下方に搬送される間に、細粒（屑米、未熟粒）を選別筒外に分離除去して、整粒（整玄米）を得るようにした縦形穀粒選別機において、選別筒外に排出された細粒を、選別機枠内に立設した螺旋揚送装置を用いて上方に搬送し、選別機枠外に取り出すようにした細粒取出装置は知られている。（例えば特許文献１参照）
【０００３】
また、選別機枠内に複数の多孔壁選別筒を立設し、選別筒をそれぞれ自転させながら公転させて選別筒内部に上方から被選別穀粒（玄米）を供給して、細粒（屑米、未熟粒）を選別筒外に分離除去して、選別機枠内に立設した螺旋揚送装置を用いて上方に搬送し、選別機枠外に取り出すようにした細粒取出装置も知られている。（例えば特許文献２参照）
【特許文献１】特開昭６３−２４０９７４号公報
【特許文献２】特開平１−１６４４８６号公報
【発明の開示】
【発明が解決しようとする課題】
【０００４】
上記のような螺旋揚送装置を用いた細粒取出装置においては、細粒取出口は細粒を紙袋（３０Ｋｇ容量）等の袋体に直接投入できる程度の高さ位置に設けられ、更に細粒が散乱しないように筒状の取出樋が設けられているが、作業中に前記袋体が一杯になっても袋体を交換せずに作業を続けていると、筒状の取出樋及び螺旋揚送筒内に細粒がぎっしり詰まってしまい、螺旋軸や駆動ベルト等の部品が破損する虞がある。
【０００５】
解決しようとする問題点は、細粒が取出樋先に設置した袋体等の容器に一杯になったことに、作業者が気づかなかった場合でも取出樋及び螺旋揚送筒内の詰まりを防止して、螺旋軸やベルト等の部品が破損しないようにすることである。
【課題を解決するための手段】
【０００６】
本発明における縦形穀粒選別機の細粒取出装置は、選別機枠内の一角に揚送筒内部に螺旋軸を回転自在に嵌装した螺旋揚送装置を縦形に立設し、その揚送筒には細粒を紙袋（３０Ｋｇ容量）等の袋体に直接投入できる程度の高さ位置に取出口を開口し、螺旋軸の前記取出口に対応する部位に螺旋を欠除し排出用の跳出し板を固着する。そして、機枠外側に前記取出口に連結して斜め下方に向けて取出樋を取り付ける。更に取出樋の傾斜上面にオーバーフロー口を開口し、外方へ開閉自在で且つ通常はその自重によってオーバーフロー口を閉じるように、上辺を取出樋に蝶着した蓋体を設けたことを特徴とする。
【発明の効果】
【０００７】
本発明における縦形穀粒選別機の細粒取出装置によれば、細粒が紙袋等の容器に一杯になり取出樋の出口が塞がった場合でも、螺旋軸の跳出し板の回転により強制的に細粒が取出樋内に押し出され、取出樋の傾斜上面に開口したオーバーフロー口の蓋体の自重に抗して、蓋体が外方へ押し開かれて外部に溢れ出るため、螺旋揚送装置の揚送筒内に細粒が詰まることが無く、従って螺旋軸や駆動ベルト等の部品が破損することはない。
【発明を実施するための最良の形態】
【０００８】
螺旋揚送装置の詰まりを防止して、螺旋軸や駆動ベルト等の部品の破損を防止するという目的を、簡単な構成で大幅なコストアップを伴わずに実現した。
【実施例１】
【０００９】
図１ないし図５は本発明の一実施例を示すもので、選別機枠体１の内部に多孔壁選別筒２を回転自在に立設し、多孔壁選別筒２内部には回転搬送体３を異速回転自在に嵌装し電動機（図示せず）及び適宜の駆動手段（詳細は省略する）により、それぞれ回転するように形成する。なお、前記回転搬送体は実施例図に限定されるものではなく、選別筒内を流下する穀粒（玄米）に遠心力を付勢して選別を助長するものであればよい。
【００１０】
多孔壁選別筒２の上方には供給ホッパー４を設け、その上方両側面及び後方から被選別穀粒（玄米）を供給するための供給窓５を設ける。
【００１１】
図２に示すように多孔壁選別筒２の下部には整粒収集室６及び細粒収集室７を設け、それぞれの室内に多孔壁選別筒２と一体に回転する整粒掻出翼８及び細粒掻出翼９を臨ませる。整粒収集室６は整粒排出樋１０を介して、選別機枠１内の正面側に立設した整粒揚送筒１１内部に整粒螺旋軸１２を回転可能に嵌装した整粒揚送装置１３に連結する。
【００１２】
なお、整粒揚送装置はバケットを付設したベルトを上下に懸回した揚穀機を用いても良い。（図示せず）
【００１３】
整粒揚送装置１３の上部は整粒タンク１４内に突出させて排出口から整粒タンク１４内に整粒を排出する。整粒タンク１４の下部にはシャッターを備えた整粒排出口１５が設けてあり、秤量器５１に載置した供出用紙袋（３０Ｋｇ容量）５３等に臨ませる。整粒タンク１４の正面に設けた５２は制御器で秤量器５１からの電気信号を受けて整粒排出口１５のシャッターを閉制御する。
【００１４】
図３は選別機枠体の断面正面図で、細粒収集室７は細粒排出樋１６を介して選別機枠体１内の一角に縦形に立設した細粒取出装置１９に連結する。細粒取出装置１９は細粒揚送筒１７内部に細粒螺旋軸１８を嵌装してあり、細粒螺旋軸１８は適宜の駆動手段（詳細は省略する）で回転駆動される。
【００１５】
そして図４に示すように、細粒揚送筒１７の上部に選別機枠体１の側板を貫通して細粒取出口２０を設け、細粒螺旋軸１８の上部で前記細粒取出口２０に対応する部位に、螺旋を欠除して排出用の跳出し板２１を固着する。又、細粒取出口２０には選別機枠体１の側方斜め下方に向けて筒状の細粒取出樋２２を設ける。
【００１６】
細粒取出樋２２の斜上面にオーバーフロー口２３を開口し、外方へ開閉自在で且つ通常はその自重によってオーバーフロー口２３を閉じるように、上辺を細粒取出樋２２に蝶着した蓋体２４を設ける。なお、蓋体２４の下辺部に錘を付設したり磁性体を付設してオーバーフロー口２３の密閉度を高めることもある。
【００１７】
上記のように構成した本発明における縦形穀粒選別機の作用を説明する。供給窓５から供給ホッパー４に供給された被選別穀粒（玄米）は回転搬送体３へ流下して、その遠心力によって多孔壁選別筒２の選別孔より細粒（屑米、未熟粒）は多孔壁選別筒２外へ排除される。
【００１８】
粒径の大きな整粒（整玄米）は多孔壁選別筒２内を流下して整粒収集室６に集積し、整粒掻出翼８の回転作用によって整粒排出樋１０から整粒揚送装置１３に流入して、上方に搬送され整粒タンク１４内に排出される。
【００１９】
整粒タンク１４内に送られた整粒はさらに整粒排出口１５を介して下方に設置した供出用紙袋（３０Ｋｇ容量）等の袋体５３に供給され、秤量器５１、制御器５２で設定した重量に達すると整粒排出口１５のシャッターが閉じられて、供給が停止される。
【００２０】
シャッターが閉じられている間、整粒は整粒タンク１４内に貯留されて、袋体５３が交換されてシャッターが開かれると再び新しい袋体５３への供給が開始して秤量される。
【００２１】
一方、多孔壁選別筒２外に排除された細粒（屑米、未熟粒）は、多孔壁選別筒２の周囲を落下して細粒収集室７に集積し、回転する細粒掻出翼９によって細粒排出樋１６を介して細粒揚送筒１７に流入する。そして螺旋軸１８の回転により揚送され跳出し板２１によって細粒取出口２０から細粒取出樋２２内に送出され、細粒取出樋２２内を流下して樋先に設置した紙袋（３０Ｋｇ容量）等の袋体５３に収容される。
【００２２】
細粒（屑米、未熟粒）が袋体５３に一杯になり細粒取出樋２２の樋先に達すると、それ以後に細粒取出樋２２内に送出された細粒は細粒取出樋２２内に充満するが、細粒掻出翼９の回転による送出圧力を受けてオーバーフロー口２３を閉じている蓋体２４の自重に抗して、蓋体２４を外方へ押し開き外部に溢れ出る。
【００２３】
従って、細粒揚送筒１７内上部に細粒が詰まることが無いため細粒螺旋軸１９や駆動ベルト等の部品が破損する虞がない。
【産業上の利用可能性】
【００２４】
本発明は穀粒選別機の細粒取出装置に適用されているが、穀粒に限らず粒状物を上方に搬送する螺旋揚送装置の上部排出口に応用できる。
【図面の簡単な説明】
【００２５】
【図１】本発明の一実施形態に係る縦形穀粒選別機の一部破断側面図である。
【図２】選別機枠体の一部断面平面図である。
【図３】選別機枠体の断面正面図である。
【図４】本発明の要部を示す細粒取出装置上部の断面図である。
【図５】縦形穀粒選別機の袋体を配置した状況を示す斜視図。
【符号の説明】
【００２６】
１    選別機枠体
２    多孔壁選別筒
３    回転搬送体
４    供給ホッパー
５    供給窓
６    整粒収集室
７    細粒収集室
８    整粒掻出翼
９    細粒掻出翼
１０    整粒排出樋
１１    整粒揚送筒
１２    整粒螺旋軸
１３    整粒揚送装置
１４    整粒タンク
１５    整粒排出口
１６    細粒排出樋
１７    細粒揚送筒
１８    細粒螺旋軸
１９    細粒取出装置
２０    細粒取出口
２１    跳出し板
２２    細粒取出樋
２３    オーバーフロー口
２４    蓋体
５１    秤量器
５２    制御器
５３    袋体
【図１】
2005334807.tif 000003
【図２】
2005334807.tif 000004
【図３】
2005334807.tif 000005
【図４】
2005334807.tif 000006
【図５】
2005334807.tif 000007